(57)【特許請求の範囲】
【請求項１】
柄を有する保持具本体(1)の下面に、モップの開口被覆部に差し込んでモップを支持する支持片を備えたモップ保持具において、
１対の支持片(10、11)を、Ｘ字形に交叉させてその交叉部をヒンジピン(14)により回動自在に連結し、
一方の支持片(11)の上端部は、保持具本体(1)の下面に、ヒンジピン(13)を介して定軸芯回りに下方回動自在に支持し、
他方の支持片(10)の上端部には、ガイド突起(16)を形成し、該ガイド突起(16)を、保持具本体(1)に形成されたスライド溝(15)に、保持具本体(1)の長手方向にスライド自在に支持し、
一方の支持片(11)の自由端部と保持具本体(1)との間には、自由端部を保持具本体側へと押し付けることにより、弾性部材の弾性に抗して係合し支持片(11)を閉じ状態にロックするロック機構(17)を備え、
該ロック機構(17)には、本体上面に露出する押込可能な解除ボタンを備えていることを特徴とするモップ保持具。
【請求項２】
請求項１記載のモップ保持具において、
前記ロック機構(17)は、保持具本体(1)に形成された上面開口状の円筒形の取付台(18)と、左右１対の湾曲ばね(20)を一体に有する前後１対のロック爪(21)と、取付台(18)内に上下方向移動可能に嵌合すると共に上面が本体(1)の上面に露出するロック解除ボタン(22)とから構成されていることを特徴とするモップ保持具。
【発明の詳細な説明】
【０００１】
【発明の属する技術分野】
この発明は、パイル付きあるいはシート状のモップ類を保持するモップ保持具に関し、特に、モップの上面に袋状あるいはトンネル状の開口被覆部を形成し、該被覆部に支持片を差し込むことにより、モップを支持するモップ保持具に関する。
【０００２】
【従来の技術】
この種モップ保持具としては、図１６に示すように保持具本体１の下面に形成した固定台８１に、支持片８０の一端を固定したものがある。支持片８０は本体１の下面に沿っておおむね水平に延びている。モップＭを着脱する際には、支持片８０を下方へと撓ませて非固定側端部８２からモップＭの被覆部９に差し込み支持するようになっている。
【０００３】
上記のような種類のモップ保持具とは異なり、保持具本体が支持片を兼ね、保持具本体を直接にモップの被覆部に差し込んで保持するモップ保持具がある。たとえば実開昭４−２８８６２号があり、ハンドルの下端部に左右１対のモップ取付台（保持具本体）を翼状に配置し、ハンドル下端部を回動支点として両取付台を回動自在に支持している。そして、回動支点近傍で両取付台を水平姿勢に係止するロック機構を備えている。
【０００４】
【発明が解決しようとする課題】
前者の固定支持片型のモップ保持具では、モップＭを支持片８０に着脱する際にモップＭのパイル糸部分を手で掴まなければならず、汚れたモップＭを取り外す際に手が汚れる。また、最近のレンタルモップには、予めパイル糸にダスト吸着剤をしみ込ませているものが普及しており、このような湿式のモップでは、装着の際にも手にダスト吸着剤が付着する。
【０００５】
さらに支持片８０は片持ち状に保持具本体１に支持されているので、支持剛性が小さく、清掃中に衝撃で支持片８０が曲がったり、折れる恐れがある。しかも、清掃中に抜け落ちる可能性もある。
【０００６】
後者の構造では、モップ装着状態においてもモップの被覆部が取付台上面に露出しており、狭い場所を掃除する際に、被覆部が障害物に引っ掛かったり、あるいはそれにより破れたりすることがある。
【０００７】
しかも、両取付台は回動支点で片持ち状に支持されているので、支持剛性が小さく、取付台に大きな衝撃にかかった場合には、回動支点部で変形したり壊れるおそれがある。
【０００８】
【発明の目的】
本願発明は、手を汚すことなく簡単にモップを交換することができると共に、狭い場所を掃除中に袋部が引っ掛かったりすることはなく、かつ、モップの支持剛性の高いモップ保持具を提供することを目的としている。
【０００９】
【目的を達成するための手段】
前記目的を達成するために、本願請求項１記載の発明によるモップ保持具は、柄を有する保持具本体１の下面に、モップの開口被覆部に差し込んでモップを支持する支持片を備えたモップ保持具において、１対の支持片１０、１１を、Ｘ字形に交叉させてその交叉部をヒンジピン１４により回動自在に連結し、一方の支持片１１の上端部は、保持具本体１の下面に、ヒンジピン（１３）を介して定軸芯回りに下方回動自在に支持し、他方の支持片１０の上端部には、ガイド突起１６を形成し、該ガイド突起１６を、保持具本体１に形成されたスライド溝１５に、保持具本体１の長手方向にスライド自在に支持し、一方の支持片１１の自由端部と保持具本体１との間には、自由端部を保持具本体側へと押し付けることにより、弾性部材の弾性に抗して係合し支持片１１を閉じ状態にロックするロック機構１７を備え、該ロック機構１７には、本体上面に露出する押込可能な解除ボタンを備えている。
【００１０】
請求項２記載の発明は、請求項１記載のモップ保持具において、前記ロック機構１７は、保持具本体１に形成された上面開口状の円筒形の取付台１８と、左右１対の湾曲ばね２０を一体に有する前後１対のロック爪２１と、取付台１８内に上下方向移動可能に嵌合すると共に上面が本体１の上面に露出するロック解除ボタン２２とから構成されている。
【００１１】
【発明の実施の形態１】
図１は本願発明を適用したモップ保持具の全体斜視図であり、保持具全体は上方から見て楕円形状となっており、短手方向を前後方向と仮定して以下説明する。保持具本体１は硬質樹脂でできており、中央部上面に自在継手２を介して柄３が設けられ、該柄３の先端部にはハンドルパイプ４が着脱自在に接続されている。このモップ保持具の下面に取り付けられるモップＭは、図２に示すように、キャンバス地等よりなる楕円形の基布７と、該基布７の下面に植設された多数のパイル糸８から構成されており、基布７の上面左右端部には、互いに向き合って開口する袋状被覆部９が形成されている。
【００１２】
図４はモップ保持具の縦断正面図であり、モップＭは、本体下面に配置された左右１対の支持片１０，１１の両端部を袋状被覆部９に差し込むことにより支持されている。
【００１３】
図５は支持片１０，１１を下方へと開いた状態を示す縦断正面図であり、両支持片１０，１１はＸ形に交叉するように配置され、その交叉部がピン１４により回動自在に連結されている。ヒンジピン１４による交叉部は上下方向幅の中央部より上側寄りに位置しており、これにより各支持片１０，１１は交叉部よりも下側部分が上側部分よりも長くなっている。ちなみに交叉部の上側部分と下側部分との長さの比率は、左側支持片１０については概ね１：２、右側支持片１１については１：３になっている。
【００１４】
右側支持片１１の上端部（左端部）は、保持具本体１の左側下面に形成されたボス部１２にヒンジピン１３を介して回動自在に支持されており、左側支持片１０の上端部（右端部）は、保持具本体１の前後壁に形成されたガイド溝１５にガイド突起１６を左右方向スライド自在に係合することにより支持されている。したがって、右側支持片１１の下端部を上方へと回動することにより、左側支持片１０もその上端ガイド突起１６が右側へとスライドしながらピン１４回りに回動し、両支持片１０，１１が同時に保持具下面に沿う水平姿勢に折り畳まれるようになっている。
【００１５】
保持具本体１の右側部分には、右側支持片１１を折り畳み状態にロックするためのロック機構１７が設けられている。該ロック機構１７は、保持具本体１に形成された上面開口状の円筒形の取付台１８と、左右１対の湾曲ばね２０を一体に有する前後１対のロック爪２１と、取付台１８内に上下方向移動可能に嵌合すると共に上面が本体１の上面に露出するロック解除ボタン２２とから構成されている。右側支持片１１には、上記ロック機構１７のロック爪２１が係合可能な係合突起２３が前後１対形成されている。
【００１６】
図６は底面図を示しており、右側支持片１１は、前後に腕部２６を有する十字形のベースプレート部２５と、該ベースプレート部２５の右端に形成されたロック用開口部２７と、該開口部２７から前後に枝分かれして右方へと延びると共に本体右端部近傍から本体１の前後楕円形周壁に沿ってそれぞれ左方へと延び、腕部２６の前後端部に至る外周枠部２８と、各腕部２６から左方へと延びてその左端部に前記ヒンジピン１３を一体に有する１対の脚部３０からなっている。腕部２６の前後端部にはピンボス３１が形成されている。
【００１７】
左側支持片１０は、Ｕ字部３３と、該Ｕ字部３３から本体１の前後楕円形周壁に沿ってそれぞれ右方へと延びる前後１対の外周枠部３４からなっている。各外周枠部３４の右端部には、前記スライド溝１５に係合するガイド突起１６が一体に形成されており、途中には前記右側支持片１１のピンボス３１に回動自在に嵌合する前記ヒンジピン１４が一体に形成されている。
【００１８】
ロック機構１７を詳しく説明する。図１３はロック爪単体の平面図であり、左右の湾曲ばね２０は、その前端同士及び後端同士が前後の連結部３５によりそれぞれ一体に連結され、連結部３５は湾曲ばね２０の弾性力に抗して互いに前後方向に接近離反するようになっている。各連結部３５の下端にそれぞれ前後に突出する前記ロック爪２１が一体に形成され、連結部３５の左右両端には連結部抜止め用のフック３６がそれぞれ形成され、また連結部３５の互いに対向する面には前後幅中心側へと突出するガイド板４０が形成されている。
【００１９】
図１２は取付台１８の単体の底面図であり、取付台１８の下半部の前後両側はそれぞれ凸形に切り落とされた開口４１が形成されており、また左右両端部には矩形状の回止め用のガイド溝４２が形成されている。
【００２０】
図８はロック機構の底面図であり、各連結部３５は、取付台１８の前後の開口４１から取付台１８の周壁内にはめ込まれ、左右のフック３６が広がって取付台内周壁に圧接することにより、前後に抜け落ちないように係止されている。
【００２１】
図７は、図５のVII-VII断面図であり、連結部３５の上端には上方に行くに従い前後幅中心線側にくる傾斜面４３がそれぞれ形成され、一方、解除ボタン２２には、上記傾斜面４３に対向する傾斜面４５を有する前後１対の突起２４が下方突出状に形成されており、解除ボタン２２を下方へ押し込むことにより、前後の傾斜面４３，４５同士の当接によるカム作用によって、ロック爪２１を前後幅中心側へと移動するようになっている。また、ガイド板４０は取付台１８の底壁に摺接しており、連結部３５の上方移動位置を規制している。
【００２２】
図１０において、解除ボタン２２の左右端にはそれぞれ左右に突出するストッパー４６が形成されており、該ストッパー４６は取付台１８の左右のガイド溝４２に上下方向移動可能に係合し、これにより解除ボタン２２を回り止めすると共に解除ボタン２２が上方へ抜け出ないように最大上昇位置を規制している。また、取付台１８の下壁にはロック爪２１の左右両側に位置してロック爪２１が左右に移動しないように規制する垂直なガイド板４８が形成されている。
【００２３】
図１１は図５のXI-XI断面拡大部分図であり、ガイド溝１５の形状を明確にしている。
【００２４】
モップの着脱手順を説明する。モップを取り付ける場合には、図５のように支持片１０，１１をＸ形に開いておき、各支持片１０，１１の下端部をそれぞれモップＭの両端袋状被覆部９に差し込み、両支持片１０，１１を本体側へと折り畳む。この場合、Ｘ形の状態で両袋状被覆部９に支持片１０，１１を差し込むことになるので、容易に被覆部９内に挿入することができ、しかも折り畳むことにより左右両方へと広がってモップＭを左右に張っていくことになるので、適当な張力を付与した状態でモップを装着できる。
【００２５】
上記のように両支持片１０，１１を上方へ折り畳み、最終的に右側支持片１１の係合突起２３をロック機構１７に係合することにより、図４のように両支持片１０，１１は折り畳み状態にロックされる。なお上記ロックは、右側支持片１１をロック機構１７に押し付けることにより湾曲ばね２０の弾性力に抗して自動的に行われる。すなわち、図７において、右側支持片１１の係合突起２３をロック爪２１に下方から押し付けることにより、ロック爪２１を前後幅中心側へと図８の湾曲ばね２０の弾性力に抗して押し動かしながらこれを乗り越え、ロック爪２１と係合突起２３とが係合し、かつこの係合状態は湾曲ばね２０の復元力により保持される。
【００２６】
一定期間使用後、モップＭを交換する場合には、解除ボタン２２を押し込む。そうすると、図７の解除ボタン２２の傾斜面４５と連結部３５の傾斜面４３とのカム作用により、両ロック爪２１を前後幅中心側へと押し縮め、ロックを解除する。これにより両支持片１０，１１を下降させて図５のようにＸ形に開き、モップＭを両支持片１０，１１から抜き落とす。この場合、作業員はモップＭに手を触れる必要はなく、上記のように解除ボタン２２を押すだけで、両支持片１０，１１は自然に下降してＸ形に開き、モップＭは抜け落ちる。したがって、作業員が手を汚す心配はない。
【００２７】
【発明の実施の形態２】
（１）図１４及び図１５に示す実施の形態は、単一の支持片６０を本体１の下面に回動自在に支持してなるモップ保持具である。
図１５において、保持具本体は図６と同様な硬質樹脂製の楕円形のものを備えており、単一の支持片６０は、左右に直線的に延びるベースプレート部６１と、該ベースプレート部６１の前後両側に形成された外周枠部６７と、ベースプレート部６１の右側部分に形成された係合突起爪６３を有する開口部６４とからなっており、ベースプレート部６１の左端部に形成されたヒンジ用ボス部６２が、本体１に形成された前後１対のボス部６３にヒンジ軸６５を介して回動自在に支持されている。外周枠部６７は、本体の周壁におおむね沿った部分楕円形状に形成されており、外周枠部６７の左半部分は右側へと折り返し状に形成されてベースプレート部６１の中央部に結合し、両外周枠部分６７は前後方向に弾性的に撓み可能となっている。
【００２８】
ロック機構１７は前記実施の形態１と同じ構造のものを備えており、同じ部品には同じ符号を付して、説明は省略する。
【００２９】
このモップ保持具には、前述の図２のように左右両端部に袋状の被覆部９を有するものでも装着可能であるが、主に、図３に示すように基布７の左右幅の中央部に、左右に貫通するトンネル状の被覆部９を形成し、一端に袋状の被覆部９を形成したモップが装着される。
【００３０】
モップ装着作業を説明する。図１４に示すように支持片６０を下方へと開き、モップＭの中央の被覆部９に左方から差し込むと共に右端の袋状被覆部９まで差し込む。中央の被覆帯９は支持片６０を前後から軽く締め付ける寸法となっているので、支持片６０を差し込んだ状態において、外周枠部６７の復元力によりモップＭはピーンと張られた状態で保持される。
【００３１】
次に支持片６０を軸６５回りに上方へと折り畳み、ロック機構１７により支持片６０の右端部を本体１にロックする。
【００３２】
一定期間使用後、汚れたモップＭを取り外す場合には、解除ボタン２２を押すことによりロックを解除し、被覆部９を持ってモップＭを右方へと抜き取る。ロック解除は上記解除ボタン２２により行い、かつ、支持片６０から一方向へ抜き取るだけであるので、作業者は手を汚すことなく、汚れたモップＭを取り外すことができる。
【００３３】
【その他の実施の形態】
（１）保持具本は図示の実施の形態ではいずれも楕円形であるが、平面形状が矩形のものを利用することもできる。
【００３４】
（２）請求項１記載のモップ保持具において、両支持片を回動自在に連結するヒンジ部として図示の実施の形態ではヒンジピンを用いているが、たとえば両支持片の交叉部を薄肉部により回動自在に連結することも可能である。
【００３５】
【発明の効果】
以上説明したように本願発明によると、
（１）モップの開口被覆部９に差し込んでこれを支持する支持片１０，１１を、保持具本体１の下面に下方回動自在に設け、下方に開いた状態でモップＭを着脱し、支持片１０，１１を上方へと回動することにより、自動的にロックできるようにしているので、モップ着脱作業が容易になり、作業員は汚れたモップで手を汚すことなくモップ取替え作業が行える。
【００３６】
（２）請求項１記載のモップ保持具では、一方の支持片１１は、一端部がヒンジ部により他端部がロック機構により２箇所で支持され、他方の支持片１０は、一端がスライド支持部分により他端部がヒンジ部により２箇所で支持されており、また、請求項２記載のモップ保持具の支持片６０は一端部がヒンジ部により他端部がロック機構により２箇所で支持されているので、支持片自体の剛性を高くしなくとも、モップの支持剛性を高く維持でき、清掃作業中、モップを安定した状態でしっかりと保持しておくことができ、スムースな清掃作業を確保することができる。
【００３７】
（３）請求項１記載のモップ保持具では、Ｘ形に組合わされた折り畳み自在な１対の支持片１０，１１を備えているので、モップＭに支持片１０，１１を差し込む時には両支持片１０，１１をＸ形に開いて両下端間を縮めた状態にしておき、差込み後に本体側へと折り畳むことにより、両支持片１０，１１の下端間を広げてモップＭを左右に張るようにしているので、モップＭの着脱がより簡単に行えると共に、適当な張力でモップＭを保持することができ、清掃作業中にモップが緩んでしわになる心配はない。
【００３８】
（４）ロック解除機構として、保持具本体の上から押し込むだけで解除することができる解除ボタン２２を備えているので、モップに手を触れることなくロック解除することができ、ロック解除時に手が汚れるのを防止することができる。
【００３９】
【図面の簡単な説明】
【図１】  本願発明を適用したモップ保持具の全体斜視図である。
【図２】  モップの一例を示す斜視図である。
【図３】  モップの別の例を示す斜視図である。
【図４】  図１のモップ保持具の縦断正面図である。
【図５】  支持片をＸ形に開いた状態で示す図４と同じ部分の縦断正面図である。
【図６】  図５のモップ保持具の底面図である。
【図７】  図５のVII-VII断面図である。
【図８】  ロック機構の底面拡大図である。
【図９】  支持片の係合突起部分の底面図である。
【図１０】  ロック機構の分解縦断正面拡大図である。
【図１１】  図５のXI-XI断面拡大図である。
【図１２】  取付台単体の底面拡大図である。
【図１３】  湾曲ばねを有するロック爪単体の平面図である。
【図１４】  本願発明の別の実施の形態を示す縦断正面図である。
【図１５】  図１４の底面図である。
【図１６】  従来例の縦断正面図である。
【符号の説明】
１  保持具本体
３  柄
９  開口被覆部
１０，１１  支持片
１３  ピン（定軸芯）
１４  ヒンジピン（ヒンジ部）
１７  ロック機構
２１  ロック爪
２２  ロック解除ボタン
２３  係合突起
６０  支持片
６２  ヒンジ軸（ヒンジ部）
【図１】
0003817043.tif 000002
【図２】
0003817043.tif 000003
【図３】
0003817043.tif 000004
【図４】
0003817043.tif 000005
【図５】
0003817043.tif 000006
【図６】
0003817043.tif 000007
【図７】
0003817043.tif 000008
【図８】
0003817043.tif 000009
【図９】
0003817043.tif 000010
【図１０】
0003817043.tif 000011
【図１１】
0003817043.tif 000012
【図１２】
0003817043.tif 000013
【図１３】
0003817043.tif 000014
【図１４】
0003817043.tif 000015
【図１５】
0003817043.tif 000016
【図１６】
0003817043.tif 000017